(57)【特許請求の範囲】
【請求項１】
所定無線通信方式によりＩＣタグに接続され、前記ＩＣタグに記憶された情報を読み出すリーダ／ライタと、
所定無線通信方式により前記リーダ／ライタに接続され、情報の書き込みと読み出しを受け、所持者の飲薬罹病情報と個人情報を含む緊急時情報が記憶されたＩＣタグを備えた第１の装身品であって、前記ＩＣタグに対するアクセスの許可情報及び／または前記リーダ／ライタより読み出された情報を復号して可視化する際の復号に用いる復号用情報が記載され、記載内容が通常は見えないようにシールが貼られている第１の装身品と、
前記リーダ／ライタに接続され、前記リーダ／ライタより読み出された情報を可視化して出力する表示部と共に、前記ＩＣタグに対するアクセスの許可情報及び／または前記復号用情報の入力を行うための入力部を備えたコンピュータ機能部と
を具備し、
前記コンピュータ機能部は、前記リーダ／ライタから前記ＩＣタグに対するアクセスが可能な状態において、前記入力部から前記ＩＣタグに対するアクセスの許可情報及び／または前記復号用情報の入力が行われると、前記リーダ／ライタからのアクセス処理及び／または前記復号して前記表示部に緊急時情報を可視化表示する処理を行うことを特徴とする緊急時情報取得システム。
【請求項２】
前記第１の装身品とは別の第２の装身品であって、前記アクセスの許可情報と前記復号用情報が記載された前記第１の装身品とは別の第２の装身品を具備することを特徴とする請求項１に記載の緊急時情報取得システム。
【請求項３】
前記第１の装身品には、緊急時情報が記憶されていることの表示が行われていることを特徴とする請求項１または２に記載の緊急時情報取得システム。
【請求項４】
前記リーダ／ライタと前記コンピュータ機能部は、携帯型通信デバイスに備えられることを特徴とする請求項１乃至３のいずれか１項に記載の緊急時情報取得システム。
【請求項５】
所定無線通信方式によりリーダ／ライタに接続され、情報の書き込みと読み出しを受け、所持者の飲薬罹病情報と個人情報を含む緊急時情報が記憶されたＩＣタグを備えた装身品であって、前記ＩＣタグに対するアクセスの許可情報及び／または前記リーダ／ライタより読み出された情報を復号して可視化する際の復号に用いる復号用情報が記載され、記載内容が通常は見えないようにシールが貼られている装身品の、前記ＩＣタグから緊急情報を取得するための緊急時情報取得端末において、
前記所定無線通信方式により前記ＩＣタグに記憶された情報を読み出すリーダ／ライタと、
前記リーダ／ライタに接続され、前記リーダ／ライタより読み出された情報を可視化して出力する表示部と共に、前記ＩＣタグに対するアクセスの許可情報及び／または前記復号用情報の入力を行うための入力部を備えたコンピュータ機能部と
を具備し、
前記コンピュータ機能部は、前記リーダ／ライタから前記ＩＣタグに対するアクセスが可能な状態において、前記入力部から前記ＩＣタグに対するアクセスの許可情報及び／または前記復号用情報の入力が行われると、前記リーダ／ライタからのアクセス処理及び／または前記復号して前記表示部に緊急時情報を可視化表示する処理を行うことを特徴とする緊急時情報取得端末。
【請求項６】
前記リーダ／ライタと前記コンピュータ機能部は、携帯型通信デバイスに備えられることを特徴とする請求項５に記載の緊急時情報取得端末。
【発明の詳細な説明】
【技術分野】
【０００１】
この発明は、事故に遭遇したり、急病になったりして、緊急に医療行為などを受ける場合に必要な飲薬罹病情報と個人情報を含む緊急時情報を得るための緊急時情報取得システム及び緊急時情報取得端末に関するものである。
【背景技術】
【０００２】
例えば一人で外出中に急病になった場合には、そのときの症状によっては自身の状態を周囲に伝えることが困難になることが考えられる。係る場合には、救急隊員が急病人の情報を収集するのに時間を要する上に、搬送先病院の選定判断を素早くすることができず、急患者の生命が危険にさらされることになる。
【０００３】
従来、身体の状態を周囲に伝える手段としては、視覚障害者であれば、白杖といった盲人安全つえがあり、老化や怪我などによる足腰の不自由がある人では、歩行杖や松葉杖、車いす等があり、妊婦であれば、マタニティマークを利用したアクセサリ着用がある。
【０００４】
しかし、事故に遭遇したり、急病になったりしたときには、どのような持病があるかといった身体情報や通院履歴、薬の服用有無などの情報が有用であるが、このような情報を上記物品から得ることはできない。
【０００５】
また、従来例としては、特許文献１に、過去の病歴との因果関係を知り、また主治医の情報を知ることができるようにするシステムが開示されている。この医療情報システムはICタグ９と前記ICタグ９の情報を読み取るICタグリーダ７を有し、前記ICタグリーダ７で読み取ったICタグ情報を受信し当該受信したICタグ情報を基に医療情報の収集を行い、それを表示部５で表示できる通信端末装置２を救急車に備え、前記ICタグ情報を救急車の向かっている病院の通信端末装置２に送るようにしたものである。
【０００６】
特許文献２には、第三者に開示する利用者の個人情報を利用者自らの意思で管理することを可能にする個人情報管理システムが開示されている。この個人情報管理システムは、利用者の個人医療情報を利用者毎に格納しているデータベース４１が接続されたサーバ４０と、サーバ４０に通信回線２０を介して接続される本体部１１および本体部１１とは別に情報を非接触で送受信する情報送受信手段である無線ＩＣタグ１６を有する携帯端末１０と、無線ＩＣタグ１６の情報の読み書きを非接触で直接行う情報読み書き手段であるリーダ・ライタ３１が接続された端末３０とを有している。携帯端末１０は、本体部１１がサーバ４０との間で送受信する情報と、無線ＩＣタグ１６がリーダ・ライタ３１を介して端末３０との間で送受信する情報とを共通させることが可能な構成になっている。
【０００７】
特許文献３には、本人の氏名、緊急連絡先を始めとして、出産予定日、血液型、既往歴、アレルギーの有無、かかりつけ病院のカルテ等医療情報を電子記録媒体に記録することが開示されている。これにより、適切かつ迅速な対応をとることが可能であるという効果があるとしている。
【０００８】
特許文献４には、場所を問わず、医療従事者に患者の医療に関する情報を的確に提示することができる情報記録媒体が開示されている。この発明において、ＩＣカード１は、ユーザの医療情報を記憶する記憶部１１と、ユーザ本人であるか否かを認証する生体認証部１３と、医療従事者が所持するＩＣタグから医療従事者ＩＤを読み取るＲＦＩＤ部１６と、ユーザ本人であると認証された場合又は医療従事者ＩＤが読み取られた場合に限り、記憶部１１が記憶する医療情報の内容を電子ペーパからなる表示窓に表示する表示制御部１３と、読み取られた医療従事者ＩＤに基づいて、医療情報の閲覧レベルを決定する閲覧レベル決定部（制御部１０）と、を備える。表示制御部１３は、決定された閲覧レベルに従って、医療情報の内容を表示窓に表示する。
【先行技術文献】
【特許文献】
【０００９】
【特許文献１】特開２００５−１４８９２１号公報
【特許文献２】特開２００５−２２９４８５号公報
【特許文献３】特開２００７−１３６１１４号公報
【特許文献４】特開２０１０−０３９８７２号公報
【発明の概要】
【発明が解決しようとする課題】
【００１０】
しかしながら、特許文献１の発明は、セキュリティの観点がなく、ＩＣタグに記憶された情報は救急車に搭載された端末以外にも読み取られる虞がある。特許文献２の発明は、医療情報の管理を行うものであり、急患に対応するように構成されたものではなく、ただ個人情報の管理を行うのみとなっている。
【００１１】
また、特許文献３の発明は、対象が妊婦に限定されており、また個人情報の保護方法が無いものである。更に、特許文献４の発明は、医療従事者限定で情報の表示を行うものであり、しかも表示を行う手段や生体情報を収集する手段を有するものであり、構成が大掛かりな装置を各人が持たなければならない問題点がある。
【００１２】
本発明は上記のような従来の緊急時情報取得システムが有する問題点を解決せんとしてなされたもので、その目的は、各個人に大掛かりな装置を備えさせることなく、しかも誰にでも情報が読み取られる危険が少なく、適切に緊急時情報を取得することが可能な緊急時情報取得システム及び緊急時情報取得端末を提供することである。
【課題を解決するための手段】
【００１３】
本発明に係る緊急時情報取得システムは所定無線通信方式によりＩＣタグに接続され、前記ＩＣタグに記憶された情報を読み出すリーダ／ライタと、所定無線通信方式により前記リーダ／ライタに接続され、情報の書き込みと読み出しを受け、所持者の飲薬罹病情報と個人情報を含む緊急時情報が記憶されたＩＣタグを備えた第１の装身品であって、前記ＩＣタグに対するアクセスの許可情報及び／または前記リーダ／ライタより読み出された情報を復号して可視化する際の復号に用いる復号用情報が記載され、記載内容が通常は見えないようにシールが貼られている第１の装身品と、前記リーダ／ライタに接続され、前記リーダ／ライタより読み出された情報を可視化して出力する表示部と共に、前記ＩＣタグに対するアクセスの許可情報及び／または前記復号用情報の入力を行うための入力部を備えたコンピュータ機能部とを具備し、前記コンピュータ機能部は、前記リーダ／ライタから前記ＩＣタグに対するアクセスが可能な状態において、前記入力部から前記ＩＣタグに対するアクセスの許可情報及び／または前記復号用情報の入力が行われると、前記リーダ／ライタからのアクセス処理及び／または前記復号して前記表示部に緊急時情報を可視化表示する処理を行うことを特徴とする。
【００１４】
本発明に係る緊急時情報取得システムでは、前記第１の装身品とは別の第２の装身品であって、前記アクセスの許可情報と前記復号用情報が記載された第２の装身品を具備することを特徴とする。
【００１５】
本発明に係る緊急時情報取得システムでは、前記第１の装身品には、緊急時情報が記憶されていることの表示が行われていることを特徴とする。
【００１６】
本発明に係る緊急時情報取得システムでは、前記リーダ／ライタと前記コンピュータ機能部は、携帯型通信デバイスに備えられることを特徴とする。
【００１７】
本発明に係る緊急時情報取得端末は所定無線通信方式によりリーダ／ライタに接続され、情報の書き込みと読み出しを受け、所持者の飲薬罹病情報と個人情報を含む緊急時情報が記憶されたＩＣタグを備えた装身品であって、前記ＩＣタグに対するアクセスの許可情報及び／または前記リーダ／ライタより読み出された情報を復号して可視化する際の復号に用いる復号用情報が記載され、記載内容が通常は見えないようにシールが貼られている装身品の、前記ＩＣタグから緊急情報を取得するための緊急時情報取得端末において、前記所定無線通信方式により前記ＩＣタグに記憶された情報を読み出すリーダ／ライタと、前記リーダ／ライタに接続され、前記リーダ／ライタより読み出された情報を可視化して出力する表示部と共に、前記ＩＣタグに対するアクセスの許可情報及び／または前記復号用情報の入力を行うための入力部を備えたコンピュータ機能部とを具備し、前記コンピュータ機能部は前記リーダ／ライタから前記ＩＣタグに対するアクセスが可能な状態において、前記入力部から前記ＩＣタグに対するアクセスの許可情報及び／または前記復号用情報の入力が行われると、前記リーダ／ライタからのアクセス処理及び／または前記復号して前記表示部に緊急時情報を可視化表示する処理を行うことを特徴とする。
【００１８】
本発明に係る緊急時情報取得端末では、前記リーダ／ライタと前記コンピュータ機能部は、携帯型通信デバイスに備えられることを特徴とする。
【発明の効果】
【００１９】
本発明では、所定無線通信方式によりリーダ／ライタに接続され、情報の書き込みと読み出しを受け、所持者の飲薬罹病情報と個人情報を含む緊急時情報が記憶されたＩＣタグを備えた装身品の、前記ＩＣタグに記憶された情報を読み出すリーダ／ライタと、前記リーダ／ライタに接続され、前記リーダ／ライタより読み出された情報を可視化して出力するコンピュータ機能部とを具備し、前記コンピュータ機能部は、前記リーダ／ライタから前記ＩＣタグに対するアクセスの許可情報及び／または前記リーダ／ライタより読み出された情報を復号して可視化する際の復号に用いる復号用情報の入力を受けて、前記リーダ／ライタからのアクセス処理及び／または前記復号して可視化する処理を行うので、各個人に大掛かりな装置を備えさせることなく、しかも誰にでも情報が読み取られる危険が少なく、適切に緊急時情報を取得することが可能である。
【図面の簡単な説明】
【００２０】
【図１】本発明の実施形態に係る緊急時情報取得システムの構成図．
【図２】本発明の実施形態に係る緊急時情報取得システムに用いられるＩＣタグの構成図。
【図３】本発明の実施形態に係る緊急時情報取得システムによってＩＣタグに刻された緊急時情報の一例を示す図。
【図４】本発明の実施形態に係る緊急時情報取得システムに用いられるコンピュータ機能部の構成図。
【発明を実施するための形態】
【００２１】
以下添付図面を参照して本発明に係る緊急時情報取得システム及び緊急時情報取得端末の実施形態を説明する。各図において同一の構成要素には、同一の符号を付して重複する説明を省略する。図１に、本実施形態に係る緊急時情報取得システムの構成図を示す。緊急時情報取得システムは、ＩＣタグ１０を備えた装身品２０と、リーダ／ライタ３０と、コンピュータ機能部５０とを備える。
【００２２】
装身品２０は、所定無線通信方式によりリーダ／ライタ３０に接続され、情報の書き込みと読み出しを受け、所持者の飲薬罹病情報と個人情報を含む緊急時情報が記憶されたＩＣタグ１０を備えたものである。装身品２０の形態は、アクセサリなどであり、鞄にぶら下げるような大きさのストラップやバッチが望ましく、携帯電話機やスマートフォンにぶら下げるストラップ、キーホルダー、更には、マタニティマークを利用したアクセサリなどでもよい。装身品２０は、目立つところに身に着けることが望ましい。
【００２３】
マタニティマークと同様にブルーサークルといった国際糖尿病連合（ＩＤＦ）によるシンボルマークを付したアクセサリでも良い。また、装身品２０の形態としては、必ずしも身に付けて飾るものを意味するのではなく、広く持ち歩く物を指し、例えば、非接触型ＩＣカード方式の公共交通機関共通乗車カードに情報を記録するようにしても良い。装身品２０には、緊急時情報が記憶されていることの表示が行われていると好適である。表示は、文字及び／またはマークなどによるものとすることができる。
【００２４】
ＩＣタグ１０は、図２に示されるように、制御部（ＣＰＵ）１１、ＲＡＭやＲＯＭなどから構成されるメモリ部１２、通信部１３、電源部１４、アンテナ１５を備える。通信部１３が、上記所定無線通信方式により通信を行う。メモリ部１２に緊急時情報が記憶される。本発明において、所定無線通信方式としては、記憶されている個人情報を盗み見られないようにするというセキュリティの観点から、TransferJet（登録商標）、ＮＦＣ、Bluetooth（登録商標）、ＵＷＢ、Ｗｉ−Ｆｉ（登録商標）、などの近距離無線通信方式が好適であるが、中でも通信距離が数ｃｍのTransferJetが最も好適である。ＩＣタグ１０の電力供給についは、電池を内蔵しているアクティブタイプ、電波をエネルギー源とするパッシブタイプ、上記２タイプの両方の電力供給機能を有するセミアクティブタイプがあるが、いずれも用いることができる。従って、図２では電源部１４と記載してあるが、「電源部または電圧リミット回路」を意味する。
【００２５】
所持者の飲薬罹病情報と個人情報を含む緊急時情報が記憶されたメモリ部１２の記憶内容の一例を図３に示す。
【００２６】
リーダ／ライタ３０は、所定無線通信方式によりＩＣタグ１０に接続され、上記ＩＣタグ１０に記憶された情報を読み出すものである。コンピュータ機能部５０は、上記リーダ／ライタ３０に接続され、上記リーダ／ライタ３０より読み出された情報を可視化して出力するものである。
【００２７】
リーダ／ライタ３０は、コンピュータ機能部５０が接続されている。コンピュータ機能部５０は、パーソナルコンピュータ、タブレット端末、スマートフォンやパーソナルディジタルアシスタントなどの携帯型通信デバイスによって構成することができる。また、リーダ／ライタ３０とコンピュータ機能部５０を統合して緊急時情報取得端末を構成しても良い。この場合、リーダ／ライタ３０とコンピュータ機能部５０を携帯型通信デバイスに備えさせても良い。
【００２８】
コンピュータ機能部５０は、図４に示されるように、ＣＰＵ５１が主メモリ５２内のプログラムやデータに基づき各部を制御する構成である。ＣＰＵ５１には、記憶制御部５３、入力制御部５４、表示制御部５５、Ｉ／Ｏポート５６が接続されている。記憶制御部５３にはプログラム等が記憶された外部記憶部５８が接続され、入力制御部５４にはキーボードやマウス或いはタッチパネルなどの入力部５４Ａが接続され、表示制御部５５にはＬＥＤなどにより構成される表示部５５Ａが接続されている。また、Ｉ／Ｏポート５６にはリーダ／ライタ３０が接続されている。
【００２９】
第１の実施形態では、コンピュータ機能部５０は、上記リーダ／ライタ３０からＩＣタグに対するアクセスの許可情報の入力を受けて、前記リーダ／ライタ３０からのアクセス処理を行う。許可情報は、例えば、通信の認証のときに用いるＰＩＮ(personal identification number)などのコードや、TransferJet （登録商標）において許容された通信相手としてリーダ／ライタ３０をＩＣタグ１０が認識するように設定するための情報とする。許可情報は、装身品２０を情報記載体として、或いは装身品２０とは別の装身品やカードを情報記載体として、記載しておくものとすることができる。記載には、消えないように彫刻した場合や透明の樹脂にモールドした場合を含む。また、通常時は見えないようにシールを貼っておいても良い。
【００３０】
以上の通りに構成された第１の実施形態に係る緊急時情報取得システムでは、例えば救急隊員がリーダ／ライタ３０が接続されたコンピュータ機能部５０或いはこれらが備えられた緊急時情報取得端末を所持している。例えば、図１の急病人９０の倒れた場所へ到着すると、装身品２０と情報記載体を探し、情報記載体から許可情報を読み取り、コンピュータ機能部５０の入力部５４Ａから入力する。これにより、通信の認証が適切に行われるように、或いは許容された通信相手としてリーダ／ライタ３０をＩＣタグ１０が認識するように設定する。
【００３１】
次に、コンピュータ機能部５０からリーダ／ライタ３０の制御を行ってＩＣタグ１０から緊急時情報の読み出しを行い、表示制御部５５へ送り表示部５５Ａに表示させる。これによって、駆けつけた救急隊員が装身品２０のＩＣタグ１０から持病や通院履歴といった情報を取得し活用することで身体状態の特定から診療科目を絞り込める可能性があり、搬送先選定の時間を短縮することが可能になる。また、救急隊員が急患に対応する時間が減り、より多くの急患に対応できる可能性が高まる。
【００３２】
次に第２の実施形態を説明する。この実施形態は、ハードウエアは第１の実施形態と同じである。この第２の実施形態では、コンピュータ機能部５０は、上記リーダ／ライタ３０より読み出された情報を復号して可視化する際の復号に用いる復号用情報の入力を受けて、上記復号して可視化する処理を行う。つまり、緊急時情報が暗号化されて記憶されている。
【００３３】
そこで、前述の情報記載体に暗号鍵情報を記載しておく。以上の通りに構成された第２の実施形態に係る緊急時情報取得システムでは、例えば救急隊員がリーダ／ライタ３０が接続されたコンピュータ機能部５０或いはこれらが備えられた緊急時情報取得端末を所持している。例えば、図１の急病人９０の倒れた場所へ到着すると、装身品２０と情報記載体を探し、情報記載体から暗号鍵情報を読み取り、コンピュータ機能部５０の入力部５４Ａから入力する。これにより、コンピュータ機能部５０はリーダ／ライタ３０から送られてくる暗号化された緊急時情報を上記暗号鍵を用いて復号し、判読可能な情報とし、表示制御部５５へ送り表示部５５Ａに表示させる。
【００３４】
この実施形態によっても、駆けつけた救急隊員が装身品２０のＩＣタグ１０から持病や通院履歴といった情報を取得し活用することで身体状態の特定から診療科目を絞り込める可能性があり、搬送先選定の時間を短縮することが可能になる。また、救急隊員が急患に対応する時間が減り、より多くの急患に対応できる可能性が高まる。
【００３５】
上記第１の実施形態の構成と上記第２の実施形態の構成を会わせた構成の緊急時情報取得端末或いは緊急時情報取得システムを構成することが可能である。これによれば、緊急時情報の秘匿性が高いシステムを提供することができる。
【符号の説明】
【００３６】
１０  ＩＣタグ
１１  制御部
１３  通信部
１４  電源部
１５  アンテナ
２０  装身品
３０  リーダ／ライタ
５０  コンピュータ機能部
５１  ＣＰＵ
５２  主メモリ
５３  記憶制御部
５４  入力制御部
５４Ａ  入力部
５５  表示制御部
５５Ａ  表示部
５６  Ｉ／Ｏポート
５８  外部記憶部
９０  急病人
【図１】
0006713323.tif 000002
【図２】
0006713323.tif 000003
【図３】
0006713323.tif 000004
【図４】
0006713323.tif 000005